(57)【特許請求の範囲】
【請求項１】
画像記録媒体の片面又は両面への印刷の制御を行う画像処理装置であって、
前記画像記録媒体の両面に印刷を行う両面印刷モードを設定する両面印刷モード設定手段と、
複数頁分の原画像を前記画像記録媒体の一つの面に並べて印刷を行う複数頁画像印刷モードを設定する複数頁画像印刷モード設定手段と、
両面印刷モードと複数頁画像印刷モードとが同時に設定されたとき、いずれかの印刷モードの設定を無効にする設定無効制御手段と、
前記両面印刷モード設定手段と前記複数頁画像印刷モード設定手段とによって設定される印刷モードのうち、前記設定無効制御手段によって無効とされる印刷モードを指定する優先順位指定手段と
を備えたことを特徴とする画像処理装置。
【請求項２】
画像記録媒体への印刷が終了した場合には、前記優先順位指定手段により無効とされた印刷モードに復帰させるモード復帰手段を備えたことを特徴とする請求項１に記載の画像処理装置。
【請求項３】
印刷する画像情報を記憶する画像情報記憶手段と、
画像情報を前記画像記録媒体に印刷する印刷手段と
を備えたことを特徴とする請求項１又は２の何れかに記載の画像処理装置。
【請求項４】
設定されている印刷モードを表示する印刷モード表示手段を備えたことを特徴とする請求項１乃至３の何れかに記載の画像処理装置。
【請求項５】
画像を読み取る画像読取手段を備えたことを特徴とする請求項１乃至４の何れかに記載の画像処理装置。
【請求項６】
通信回線を介して画像情報の送信を行う画像送信手段と画像情報の受信を行う画像受信手段の少なくとも一方を備えたことを特徴とする請求項１乃至５の何れかに記載の画像処理装置。
【発明の詳細な説明】
【０００１】
【発明の属する技術分野】
本発明は、画像記録媒体の両面に印刷を行う両面印刷と複数頁の画像を画像記録媒体の１つの面に並べて印刷を行う複数頁画像印刷の制御を行う画像処理装置に関する。
【０００２】
【従来の技術】
従来、画像処理装置では、画像データの印刷における付加機能として、複数頁の画像を印刷用紙等の画像記録媒体の１つの面に並べて印刷を行う複数頁画像印刷（以下、「Ｎイン１印刷」という。）の機能を備えたものが知られていた（特開平６−１８３０９５号公報、特開平７−１４８９９０号公報参照）。この従来の画像処理装置のＮイン１印刷では、例えば、２頁、４頁、６頁、９頁、１６頁分等の複数頁の画像情報を１頁の印刷用紙の表面に縮小して配列して印刷することにより、使用する印刷用紙の枚数を減らすことができるものであった。
【０００３】
また、特開平１１−１１９９５６号公報に記載されているように、Ｎイン１印刷の機能を備えるもので、さらに、印刷用紙の両面への印刷（以下、「両面印刷」という。）を行う機能を備えた画像処理装置も知られていた。このＮイン１印刷と両面印刷の両方を行うことができる画像処理装置では、Ｎイン１印刷と両面印刷を同時に行えば、単にＮイン１印刷を行うものに比べて、使用する印刷用紙の枚数をさらに減らすことことができるという特徴があった。
【０００４】
【発明が解決しようとする課題】
しかしながら、上記のようにＮイン１印刷と両面印刷の両方を行うことができる画像処理装置では、Ｎイン１印刷を行う場合には、画像記録媒体の１つの面への画像の記録密度が高まり、Ｎイン１印刷が行われる画像記録媒体の表面には、トナーやインク等が大量に使用されるため、その裏面から画像が透けてみえることになる。そして、このようなＮイン１印刷がなされた画像記録媒体に両面印刷を同時に行うと、表面に印刷された画像に裏面の画像が透けて見えて、画像が見苦しくなるという問題点があった。
【０００５】
また、Ｎイン１印刷と両面印刷を同時に行うと、画像記録媒体の両面に高密度で画像が記録されるために、記録にインクを用いると画像記録媒体にしわが寄りやすいという問題点も有った。
【０００６】
本発明は、上記問題点を解決するためになされたものであり、複数頁画像印刷機能と両面印刷機能を備えた画像処理装置において、複数頁画像印刷機能と両面印刷機能とが同時に設定されることを防止して、表面に印刷された画像に裏面の画像が透けて見えて画像が見苦しくなること及び画像記録媒体にしわが寄ることを防止することができる画像処理装置を提供することを目的とする。
【０００７】
【課題を解決するための手段】
上述の目的を達成するために、請求項１に記載の画像処理装置は、画像記録媒体の片面又は両面への印刷の制御を行う画像処理装置であって、前記画像記録媒体の両面に印刷を行う両面印刷モードを設定する両面印刷モード設定手段と、複数頁分の原画像を前記画像記録媒体の一つの面に並べて印刷を行う複数頁画像印刷モードを設定する複数頁画像印刷モード設定手段と、両面印刷モードと複数頁画像印刷モードとが同時に設定されたとき、いずれかの印刷モードの設定を無効にする設定無効制御手段と、前記両面印刷モード設定手段と前記複数頁画像印刷モード設定手段とによって設定される印刷モードのうち、前記設定無効制御手段によって無効とされる印刷モードを指定する優先順位指定手段とを備えている。
【０００８】
この構成の画像処理装置では、両面印刷モード設定手段により画像記録媒体の両面に印刷を行う両面印刷モードが設定され、複数頁画像印刷モード設定手段により複数頁分の原画像を前記画像記録媒体の一つの面に並べて印刷を行う複数頁画像印刷モードが設定され、設定無効制御手段は、両面印刷モードと複数頁画像印刷モードとが同時に設定されたとき、いずれかの印刷モードの設定を無効にする。また、優先順位指定手段により、前記両面印刷モード設定手段と前記複数頁画像印刷モード設定手段とによって設定される印刷モードのうち、前記印刷制御手段によって無効とされる印刷モードを指定することができる。
【０００９】
【００１０】
【００１１】
さらに、請求項２に記載の画像処理装置では、請求項１に記載の画像処理装置の構成に加え、画像記録媒体への印刷が終了した場合には、前記優先順位指定手段により無効とされた印刷モードに復帰させるモード復帰手段を備えている。
【００１２】
この構成の画像処理装置では、請求項１に記載の画像処理装置の作用に加え、画像記録媒体への印刷が終了した場合には、モード復帰手段は、前記優先順位指定手段により無効とされた印刷モードに復帰させることができる。
【００１３】
さらに、請求項３に記載の画像処理装置では、請求項１又は２の何れかに記載の画像処理装置の構成に加え、印刷する画像情報を記憶する画像情報記憶手段と、画像情報を前記画像記録媒体に印刷する印刷手段とを備えている。
【００１４】
この構成の画像処理装置では、請求項１又は２の何れかに記載の画像処理装置の作用に加え、画像情報記憶手段が印刷する画像情報を記憶し、印刷手段が画像情報を前記画像記録媒体に印刷することができる。
【００１５】
また、請求項４に記載の画像処理装置では、請求項１乃至３の何れかに記載の画像処理装置の構成に加え、設定されている印刷モードを表示する印刷モード表示手段を備えている。
【００１６】
この構成の画像処理装置では、請求項１乃至３の何れかに記載の画像処理装置の作用に加え、印刷モード表示手段により設定されている印刷モードを表示することができる。
【００１７】
また、請求項５に記載の画像処理装置では、請求項１乃至４の何れかに記載の画像処理装置の構成に加え、画像を読み取る画像読取手段を備えている。
【００１８】
この構成の画像処理装置では、請求項１乃至４の何れかに記載の画像処理装置の作用に加え、画像読取手段により画像を読み取ることができる。
【００１９】
さらに、請求項６に記載の画像処理装置では、請求項１乃至５の何れかに記載の画像処理装置の構成に加え、通信回線を介して画像情報の送信を行う画像送信手段と画像情報の受信を行う画像受信手段の少なくとも一方を備えている。この構成の画像処理装置では、請求項１乃至５の何れかに記載の画像処理装置の作用に加え、画像送信手段は通信回線を介して画像情報の送信を行い、画像受信手段は通信回線を介して画像情報の受信を行うことができる。
【００２０】
【発明の実施の形態】
次に、本発明の第１の実施形態について図面を参照して説明する。図１は、本発明の第１の実施の形態の画像処理装置の一例であるファクシミリ装置１の構成を示すブロック図である。
【００２１】
図１に示すように、ファクシミリ装置１には、ファクシミリ装置１全体の制御を行うＣＰＵユニット２が設けられ、ＣＰＵユニット２には、各種の演算処理を行うＣＰＵ３及び各種の処理を行う論理回路により構成されたゲートアレー４と、図示外のＩ／Ｏ回路とが設けられている。
【００２２】
また、ファクシミリ装置１には、電話番号を入力するテンキーや両面印刷を設定する両面印刷設定キーやＮイン１印刷を設定するＮイン１印刷設定キー等が配置された入力キーユニット５が設けられ、入力キーユニット５は入力キーユニット５でのキー操作を入力信号としてＣＰＵユニット２に伝える入力キー制御回路６に接続され、入力キー制御回路６は、ＣＰＵユニット２に接続されている。
【００２３】
また、ＣＰＵユニット２には、ＣＰＵ３で実行される制御プログラム及び初期設定値を記憶したＲＯＭ７と、各種の設定値を記憶した書換可能なＥＥＰＲＯＭＭ８とが各々接続されている。さらに、ＣＰＵユニット２には、画像情報と、両面印刷の設定情報と、Ｎイン１印刷の設定情報等を記憶するＲＡＭ９が接続されている。
【００２４】
また、ファクシミリ装置１には、図示外の画像記録媒体の一例である印刷用紙やＯＨＰシート等を副走査方向に搬送するための記録ＬＦモータ１０が設けられ、記録ＬＦモータ１０は、記録ＬＦモータ制御回路１１を介して、ＣＰＵユニット２に接続されている。
【００２５】
さらに、ファクシミリ装置１には、図示外の原稿をＣＣＤ（電荷結合素子）やＣＩＳ（コンタクトイメージセンサ）を使った読取装置２２で読み取る場合に、原稿又は読取装置２２を副走査方向に搬送するための読取モータ１２が設けられ、読取モータ１２は、読取モータ制御回路１３を介して、ＣＰＵユニット２に接続されている。
【００２６】
また、ファクシミリ装置１には、後述する印字ヘッド２４を主走査方向に搬送するための図示外のキャリッジを駆動するキャリッジモータ１４が設けられ、キャリッジモータ１４には、キャリッジモータ制御回路１５が接続され、キャリッジモータ制御回路１５は、ＣＰＵユニット２に接続されている。
【００２７】
さらに、ＣＰＵユニット２には、コンピュータ等の外部機器とのデータの送受信を行うＩＥＥＥ１２８４規格に準拠したＩＥＥＥ１２８４インターフェース１６と、スピーカー１７とが接続されている。
【００２８】
また、ＣＰＵユニット２には、変復調機であるモデム１８が接続され、モデム１８には、通信回線２０との接続を制御するネットワークコントロールユニットであるＮＣＵ１９が接続され、ＮＣＵ１９には、ハンドセット２１が接続されている。また、ファクシミリ装置１には、原稿の画像を読み取る読取装置２２が設けられ、読取装置２２は、画像処理ＬＳＩ２３に接続され、画像処理ＬＳＩ２３は、ＣＰＵユニット２に接続されている。
【００２９】
さらに、ファクシミリ装置１には、インクジェット方式の印字ヘッド２４が設けられ、印字ヘッド２４には、ヘッド駆動回路２５が接続され、ヘッド駆動回路２５は、ＣＰＵユニット２に接続されている。また、ＣＰＵユニット２には、センサー２６が設けられている。このセンサー２６は、図１では、１つしか図示されていないが、実際には、図示外の用紙センサー、原稿センサー、インクセンサー等各種のセンサーが設けられ、ＣＰＵユニット２に接続されている。
【００３０】
さらに、ファクシミリ装置１には、各種の設定や入力キーユニット５からの入力結果等を表示する液晶パネルから構成された表示パネル２７が設けられ、表示パネル２７は表示パネル２７を制御する表示パネル制御回路２８に接続され、表示パネル制御回路２８は、ＣＰＵユニット２に接続されている。また、ファクシミリ装置１には、図示外の両面印刷機構と当該両面印刷機構を駆動する両面印刷機構２９とが設けられ、両面印刷機構２９は両面印刷機構制御回路３０に接続され、両面印刷機構制御回路３０は、ＣＰＵユニット２に接続されている。
【００３１】
次に、図２を参照して、ＲＡＭ９の記憶エリアについて説明する。図２は、ＲＡＭ９の記憶エリアの内容を示す概念図である。
【００３２】
図２に示すように、ＲＡＭ９には、印刷用紙の両面に両面印刷を行うか否かのの設定を記憶する両面印刷設定情報記憶エリア９ａと、複数頁の画像情報を１枚の印刷用紙の表面に縮小して配列して印刷するＮイン１印刷を行うか否か、及びＮの設定情報を記憶するＮイン１印刷設定情報記憶エリア９ｂと、通信回線２０から受信しモデム１８で復調した画像情報や、読取装置２２で読み取った原稿の画像情報を記憶する画像情報記憶エリア９ｃと、印字ヘッド２４で印字するための印字データを展開する印字データ展開バッファ９ｄと、優先順位記憶エリア９ｅ等が設けられている。なお、ＲＡＭ９には、図示外のワークエリア等も設けられている。
【００３３】
次に、図３を参照して、入力キーユニット５の構造について説明する。図３は、ファクシミリ装置１の図示外の筐体の上面に設けられている入力キーユニット５の平面図である。
【００３４】
図３に示すように、入力キーユニット５には、電話番号を入力する「０〜９」の数字ボタンと、「＊」及び「＃」の記号ボタンとから構成されたダイアルボタン３７と、予め記憶した電話番号を１つのボタンの操作で発信させる短縮発信ボタン３８と、ファクシミリ装置の原稿読み込みのスタートや送信のスタートを指示するスタートボタン３２と、原稿読み込みの中止や、送信の中止を指示する停止ボタン３３と、印刷用紙への両面印刷を設定する両面印刷ボタン３４と、Ｎイン１印刷を指示するＮイン１印刷ボタン３５と、機能設定を行う機能設定ボタン３６とが設けられている。
【００３５】
なお、両面印刷ボタン３４を押下して、両面印刷の設定をしたときには、図２に示すＲＡＭ９の両面印刷設定情報記憶エリア９ａに両面印刷モードの設定を示す「１」が記憶されて、図１に示す表示パネル２７上に両面印刷モードに設定されていることを示す「両面印字」との文字が表示される。この両面印刷モードが設定された場合には、ＣＰＵユニット２によって、両面印刷機構制御回路３０を介して両面印刷機構２９が駆動されて、片面に印刷された印刷用紙が裏返されて、裏面にも印刷が行われる。
【００３６】
また、Ｎイン１印刷ボタン３５を１回押下して、Ｎイン１印刷モードを指示したときには、２頁の画像を１頁に縮小して配列する２イン１印刷モードを示す「１」を、図２に示すＲＡＭ９のＮイン１印刷設定情報記憶エリア９ｂに記憶し、図１に示す表示パネル２７上に、「２イン１」との表示が行われる。
【００３７】
また、上記の状態で、Ｎイン１印刷ボタン３５を再度押下すると、４頁の画像を１頁に縮小して配列する４イン１印刷モードを、図２に示す「２」を、ＲＡＭ９のＮイン１印刷設定情報記憶エリア９ｂに記憶し、図１に示す表示パネル２７上に、「４イン１」との表示が行われる。
【００３８】
また、上記の状態で、Ｎイン１印刷ボタン３５を再度押下すると、９頁の画像を１頁に縮小して配列する９イン１印刷モードを示す「３」を、図２に示すＲＡＭ９のＮイン１印刷設定情報記憶エリア９ｂに記憶し、図１に示す表示パネル２７上に、「９イン１」との表示が行われる。
【００３９】
また、上記の状態で、Ｎイン１印刷ボタン３５を再度押下すると、１６の画像を１頁に縮小して配列する１６イン１印刷モードを、図２に示す「４」を、ＲＡＭ９のＮイン１印刷設定情報記憶エリア９ｂに記憶し、図１に示す表示パネル２７上に、「１６イン１」との表示が行われる。この状態で、Ｎイン１印刷ボタン３５を再度押下すると、１頁の画像を印刷用紙の１頁に印字する通常印刷のモードに復帰して、図２に示すＲＡＭ９のＮイン１印刷設定情報記憶エリア９ｂの記憶内容はクリアされて「０」となり、図１に示す表示パネル２７上に表示されていた、「１６イン１」の表示が消える。
【００４０】
次に、図４乃至図８を参照して、ファクシミリ装置１が行うＮイン１印刷について説明する。
【００４１】
図４は、通常印刷を示す図であり、図５は、２頁を１頁に印字した状態を示す図であり、図６は、４頁を１頁に印字した状態を示す図であり、図７は、９頁を１頁に印字した状態を示す図であり、図８は、１６頁を１頁に印字した状態を示す図である。
【００４２】
図４に示すように、Ｎイン１モードの設定がなされていないときには、印刷用紙４０の表面に１頁分の画像が印刷される通常印刷が行われる。２イン１印刷モードが設定されているときには、図５に示すように２頁分の画像を縮小して１頁に配列した印字した２イン１印刷が行われる。４イン１印刷モードが設定されているときには、図６に示すように４頁分の画像を縮小して１頁に配列した印字した４イン１印刷が行われる。９イン１印刷モードが設定されているときには、図７に示すように９頁分の画像を縮小して１頁に配列した印字した９イン１印刷が行われる。１６イン１印刷モードが設定されているときには、図８に示すように１６頁分の画像を縮小して１頁に配列した印字した１６イン１印刷が行われる。
【００４３】
なお、本実施の形態のファクシミリ装置１では、１６イン１印刷モードまでをサポートしているが、必ずしも上記の例に限られず、２５イン１印刷モード等の任意のＮイン１印刷を行うようにしても良い。また、Ｎイン１印刷ボタン３５の押下回数による変更だけでなく、Ｎの値を直接入力してもかまわない。
【００４４】
次に、本実施の形態のファクシミリ装置１の印刷設定処理について図９に示すフローチャートを参照して説明する。図９は、本実施の形態のファクシミリ装置１の印刷設定処理を示すフローチャートである。以下、フローチャートの各ステップは「Ｓ」と称する。
【００４５】
ＲＯＭ７に記憶された主制御プログラム（図示外）に従って、ファクシミリ装置１が、受信した画像の印刷や、読取装置２２で読み取った画像の印刷を行う場合には、図９に示す印刷設定処理を行う。
【００４６】
まず、Ｎイン１印刷ボタン３５Ｎが押下されてＮイン１キー入力がなされている否かを判断する（Ｓ１）。このＳ１の判断は、具体的には、ＲＡＭ９のＮイン１印刷設定情報記憶エリア９ｂにＮイン１印刷の何れかのモードの設定が記憶されているか否かで判断する（Ｓ１）。２イン１乃至１６イン１の何れかのＮイン１印刷のモードの設定が記憶されている場合には、Ｎイン１キー入力が有るので（Ｓ１：ＹＥＳ）、次いで、両面印刷の設定がなされているか否かを判断する（Ｓ２）。ＲＡＭ９の両面印刷設定情報記憶エリア９に両面印刷のモード設定を示す「１」が記憶されている場合には、両面印刷設定がＯＮであるので（Ｓ２：ＹＥＳ）、今回の印刷設定処理では、一時的に両面印刷の設定をＯＦＦにする（Ｓ３）。
【００４７】
このＳ３の処理は、ＲＡＭ９の両面印刷設定情報記憶エリア９に記憶されている「１」をクリアして記憶内容を「０」にする（Ｓ３）。
【００４８】
そして、印刷用紙の片面にＮイン１印刷の印刷処理を行う（Ｓ４）。具体的には、ＲＡＭ９のＮイン１印刷設定情報記憶エリア９ｂに「１」が記憶されている場合には、２イン１モードでの印刷を行い、ＲＡＭ９のＮイン１印刷設定情報記憶エリア９ｂに「２」が記憶されている場合には、４イン１モードでの印刷を行い、ＲＡＭ９のＮイン１印刷設定情報記憶エリア９ｂに「３」が記憶されている場合には、９イン１モードでの印刷を行い、ＲＡＭ９のＮイン１印刷設定情報記憶エリア９ｂに「４」が記憶されている場合には、１６イン１モードでの印刷を行う（Ｓ４）。
【００４９】
ここで、ＲＡＭ９の両面印刷設定情報記憶エリア９に「０」が記憶されている場合には、両面印刷設定がＯＦＦであるので（Ｓ２：ＮＯ）、Ｓ３の処理をとばして、Ｓ４の処理に移行する。
【００５０】
片面Ｎイン１印刷処理（Ｓ４）が終了すると、次いで、両面印刷設定をＯＮに戻す（Ｓ５）。具体的には、ＲＡＭ９の両面印刷設定情報記憶エリア９に「１」を記憶させる（Ｓ５）。そして、印刷設定処理を終了して、主制御プログラムにリターンする。
【００５１】
なお、Ｓ１の判断処理で、ＲＡＭ９のＮイン１印刷設定情報記憶エリア９ｂに「０」が記憶されており、Ｎイン１キー入力が無いと判断された場合には（Ｓ１：ＮＯ）、次いで、両面印刷の設定がなされているか否かを判断する（Ｓ６）。ＲＡＭ９の両面印刷設定情報記憶エリア９に両面印刷のモード設定を示す「１」が記憶されている場合には、両面印刷設定がＯＮであるので（Ｓ６：ＹＥＳ）、単に通常印刷のモードで両面印刷を行う両面非Ｎイン１印刷処理を行う（Ｓ７）。そして、印刷設定処理を終了して、主制御プログラムにリターンする。
【００５２】
また、Ｓ６の判断処理で、ＲＡＭ９の両面印刷設定情報記憶エリア９に通常印刷のモード設定を示す「０」が記憶されている場合には、両面印刷設定がＯＦＦであるので（Ｓ６：ＮＯ）、単に通常印刷のモードで片面印刷を行う片面非Ｎイン１印刷処理を行う（Ｓ８）。そして、印刷設定処理を終了して、主制御プログラムにリターンする。
【００５３】
以上説明したように、第１実施の形態のファクシミリ装置１では、両面印刷設定とＮイン１印刷設定の両方がなされた場合には、一時的に両面印刷設定をＯＦＦにして、片面印刷でＮイン１印刷を行うので、画像密度が高くなるＮイン１印刷時に、裏面に印刷されることがなく、裏面の印刷が透けて見えて表面の印刷画像が見苦しくなってしまうことがない。また、Ｎイン１印刷と両面印刷とが同時に行われて、印刷用紙にしわが寄ってしまうことがない。さらに、片面印刷でＮイン１印刷が行われた後には、自動で両面印刷モードを復帰させるので、両面印刷モードの設定を再度行う必要がない。
【００５４】
次に、本発明の第２の実施の形態について説明する。第２の実施の形態のファクシミリ装置１は、第１の実施の形態のファクシミリ装置１とは、機械的構成及び電気的構成は同じであり、印刷設定処理が異なるのみなので、機械的構成及び電気的構成は上記第１の実施の形態のファクシミリ装置１の説明を援用する。
【００５５】
第２の実施の形態のファクシミリ装置１では、Ｎイン１印刷と両面印刷の何れを優先するのかの優先順位を設定できるように構成され、Ｎイン１印刷と両面印刷が同時に設定された場合には、予め設定されている優先順位に従って、印刷設定処理が行われる点に特徴を有する。
【００５６】
まず、印刷モードの優先順位設定を説明する。印刷モードの優先順位設定は、図３に示す入力キーユニット５の機能設定ボタン３６を押下すると、図１に示す表示パネル２７上に機能設定モードに入ったことを示す「機能設定」との表示がなされる。ここで、印刷モードの優先順位設定を示すコード番号をダイアルボタン３７を押下して入力する。例えば、印刷モードの優先順位設定が「４５」であるならば、ダイアルボタン３７の「４」と「５」のボタンを順に押下する。
【００５７】
すると、表示パネル２７上に「優先順位設定」と表示されるので、両面印刷を優先したい場合には両面印刷ボタン３４を押下し、Ｎイン１印刷優先したい場合にはＮイン１印刷ボタン３５を押下する。表示パネル２７上には、押下された印刷モードが表示されるので、再度、機能設定ボタン３６を押下すると、選択された印刷モードが優先される印刷モードとして、図２に示すＲＡＭ９の優先順位記憶エリア９ｅに記憶される。
【００５８】
次に、図１０に示す第２の実施の形態のファクシミリ装置１の印刷設定処理について説明する。
【００５９】
まず、Ｎイン１印刷ボタン３５が押下されてＮイン１キー入力がなされている否かを判断する（Ｓ１１）。このＳ１１の判断は、具体的には、ＲＡＭ９のＮイン１印刷設定情報記憶エリア９ｂにＮイン１印刷の何れかのモードの設定が記憶されているか否かで判断する（Ｓ１１）。２イン１乃至１６イン１の何れかのＮイン１印刷のモードの設定が記憶されている場合には、Ｎイン１キー入力が有るので（Ｓ１１：ＹＥＳ）、次いで、両面印刷の設定がなされているか否かを判断する（Ｓ１２）。このＳ１２の判断は、ＲＡＭ９の両面印刷設定情報記憶エリア９に両面印刷のモード設定を示す「１」が記憶されている場合には、両面印刷設定がＯＮであるので（Ｓ１２：ＹＥＳ）、両面印刷が優先に設定されているか否かを判断する（Ｓ１３）。
【００６０】
Ｓ１３の判断処理で、ＲＡＭ９の優先順位記憶エリア９ｅに両面印刷優先と記憶されている場合には（Ｓ１３：ＹＥＳ）、Ｎイン１印刷設定情報記憶エリア９ｂに記憶されている「１」乃至「４」の数字をＲＡＭ９の図示外のワークエリアに待避して、Ｎイン１印刷設定情報記憶エリア９ｂの記憶内容はクリアして記憶内容を「０」にして、Ｎイン１印刷のモードをＯＦＦにする（Ｓ１４）。
【００６１】
次いで、印刷用紙の両面に非Ｎイン１モードで印刷を行う（Ｓ１５）。その後、ＲＡＭ９の図示外のワークエリアに待避していた「１」乃至「４」の記憶値をＲＡＭ９のＮイン１印刷設定情報記憶エリア９ｂに戻して記憶させる（Ｓ１６）、そして、印刷設定処理を終了して、主制御プログラムにリターンする。
【００６２】
また、Ｓ１３の判断処理で、ＲＡＭ９の優先順位記憶エリア９ｅにＮイン１印刷優先と記憶されている場合には（Ｓ１３：ＮＯ）、両面印刷設定情報記憶エリア９ａに記憶されている「１」をクリアして記憶内容を「０」にして、両面印刷のモードをＯＦＦにする（Ｓ１７）。
【００６３】
次いで、印刷用紙の片面にＮイン１印刷を行う（Ｓ１８）。具体的には、ＲＡＭ９のＮイン１印刷設定情報記憶エリア９ｂに「１」が記憶されている場合には、印刷用紙の片面に２イン１モードでの印刷を行い、ＲＡＭ９のＮイン１印刷設定情報記憶エリア９ｂに「２」が記憶されている場合には、印刷用紙の片面に４イン１モードでの印刷を行い、ＲＡＭ９のＮイン１印刷設定情報記憶エリア９ｂに「３」が記憶されている場合には、印刷用紙の片面に９イン１モードでの印刷を行い、ＲＡＭ９のＮイン１印刷設定情報記憶エリア９ｂに「４」が記憶されている場合には、印刷用紙の片面に１６イン１モードでの印刷を行う（Ｓ１８）。Ｎイン１印刷処理（Ｓ１８）が終了すると、両面印刷設定をＯＮにするために、ＲＡＭ９の両面印刷設定情報記憶エリア９に「１」を記憶させる（Ｓ１９）。そして、印刷設定処理を終了して、主制御プログラムにリターンする。
【００６４】
なお、Ｓ１１の判断処理で、ＲＡＭ９のＮイン１印刷設定情報記憶エリア９ｂに「０」が記憶されており、Ｎイン１キー入力が無いと判断された場合には（Ｓ１１：ＮＯ）、次いで、両面印刷の設定がなされているか否かを判断する（Ｓ２０）。このＳ２０の判断は、ＲＡＭ９の両面印刷設定情報記憶エリア９に両面印刷のモード設定を示す「１」が記憶されている場合には、両面印刷設定がＯＮであるので（Ｓ２０：ＹＥＳ）、単に通常印刷のモードで両面印刷を行う両面非Ｎイン１印刷処理を行う（Ｓ２１）。そして、印刷設定処理を終了して、主制御プログラムにリターンする。
【００６５】
また、Ｓ２０の判断処理で、ＲＡＭ９の両面印刷設定情報記憶エリア９に通常印刷のモード設定を示す「０」が記憶されている場合には、両面印刷設定がＯＦＦであるので（Ｓ２０：ＮＯ）、単に通常印刷のモードで片面印刷を行う片面非Ｎイン１印刷処理を行う（Ｓ２３）。そして、印刷設定処理を終了して、主制御プログラムにリターンする。
【００６６】
以上説明したように、第２実施の形態のファクシミリ装置１では、両面印刷設定とＮイン１印刷設定の両方がなされた場合には、何れを優先するかの優先順設定手段をを備えているので、一時的に優先順位の低い印刷設定をＯＦＦにして、優先順位の高い印刷モードで印刷を行うので、両面印刷設定とＮイン１印刷設定の両方がなされた場合には、予め設定しておいた優先順位の高い印刷モードで印刷を行うことが可能となる。従って、両面印刷とＮイン１印刷が同時に行われることを防止できる。さらに、優先順位の高いモードでの印刷が終了した場合には、自動で優先順位の低い印刷モードも復帰させるので、印刷モードの設定を再度行う必要がない。
【００６７】
次に、本発明の第３の実施の形態について、図１１乃至図１３を参照して、説明する。図１１乃至図１３は、第３の実施の形態の印刷設定の画面を示す図である。本発明の第３の実施の形態では、本発明をコンピュータのプリンタドライバに適用したものである。
【００６８】
本発明をコンピュータのプリンタドライバに適用した場合には、図１１に示すように、プリンタのプロパティを開くと印刷設定画面５０に、両面印刷のチェック欄５１とＮイン１印刷のチェック欄５２とが表示される。図１１に示す例では、両面印刷のチェック欄５１及びＮイン１印刷のチェック欄５２共に空欄となっているので、両面印刷及びＮイン１印刷のいずれの印刷モードも設定されていない。
【００６９】
次いで、図１２に示すように、両面印刷を設定するために両面印刷のチェック欄５１をチェックすると、Ｎイン１印刷のチェック欄５２を灰色にして、チェック出来ないようにする。また、図１３に示すように、Ｎイン１印刷を設定するために、Ｎイン１印刷のチェック欄５２をチェックすると、両面印刷のチェック欄５１を灰色にして、チェック出来ないようにする。従って、両面印刷のチェック欄５１及びＮイン１印刷のチェック欄５２は、択一的にしかチェックできないので、両面印刷とＮイン１印刷の両方が設定されることがない。また、Ｎイン１印刷のチェック欄５２にチェックが入った場合のみＮを直接指定できるように、Ｎ値指定部５３が現れるようにする。
【００７０】
なお、本発明は上記の実施の形態に限られず、各種の変更が可能なことは言うまでもない、例えば、上記の第１及び第２の実施の形態では、ファクシミリを例に説明したが、本発明は、必ずしもファクシミリに限られず、プリンタ単体にも適用できることは言うまでもない。また、インクジェットプリンタに限られず、ワイヤドットプリンタ、レーザープリンタ、トナージェットプリンタ、サーマルプリンタ等に適用できることは言うまでもない。
【００７１】
【発明の効果】
以上説明したように、請求項１に係る発明の画像処理装置では、両面印刷モード設定手段により画像記録媒体の両面に印刷を行う両面印刷モードが設定され、複数頁画像印刷モード設定手段により複数頁分の原画像を前記画像記録媒体の一つの面に並べて印刷を行う複数頁画像印刷モードが設定され、設定無効制御手段は、両面印刷モードと複数頁画像印刷モードとが同時に設定されたとき、いずれかの印刷モードの設定を無効にすることができる。従って、画像密度が高くなる複数頁画像印刷モードと両面印刷モードとが同時に行われて、裏面の印刷が透けて見えて表面の印刷画像が見苦しくなってしまうことを防止できる。また、印刷用紙にしわが寄ってしまうことも防止できる。
【００７２】
また、優先順位指定手段は、前記両面印刷モード設定手段と前記複数頁画像印刷モード設定手段によって設定される印刷モードのうち、前記印刷制御手段によって無効とされる印刷モードを指定することができる。従って、予め優先させたい印刷モードを設定しておくことが可能となる。
【００７３】
さらに、請求項２に記載の画像処理装置では、請求項１に記載の画像処理装置の効果に加え、画像記録媒体への印刷が終了した場合には、モード復帰手段は、前記優先順位指定手段により無効とされた印刷モードに復帰させることができる。従って、再度、印刷モードの設定を行う必要がない。
【００７４】
また、請求項３に記載の画像処理装置では、請求項１又は２の何れかに記載の画像処理装置の効果に加え、画像情報記憶手段が印刷する画像情報を記憶し、印刷手段が画像情報を前記画像記録媒体に印刷することができる。
【００７５】
また、請求項４に記載の画像処理装置では、請求項１乃至３の何れかに記載の画像処理装置の効果に加え、印刷モード表示手段は設定されている印刷モードを表示することができる。従って、使用者に対して設定されている印刷モードを知らせることができる。
【００７６】
また、請求項５に記載の画像処理装置では、請求項１乃至４の何れかに記載の画像処理装置の効果に加え、画像読取手段により画像を読み取ることができる。従って、画像読取手段で読みとった画像を印刷することができる。
【００７７】
さらに、請求項６に記載の画像処理装置では、請求項１乃至５の何れかに記載の画像処理装置の効果に加え、画像送信手段は通信回線を介して画像情報の送信を行い、画像受信手段は通信回線を介して画像情報の受信を行うことができる。
【図面の簡単な説明】
【図１】  図１は、本発明の第１実施の形態及び第２実施の形態のファクシミリ装置１の構成を示すブロックである。
【図２】  図２は、ファクシミリ装置１のＲＡＭ９の記憶エリアの概念図である。
【図３】  図３は、ファクシミリ装置１の入力キーユニット５の平面図である。
【図４】  図４は、通常印刷を示す図である。
【図５】  図５は、２頁を１頁に印字した状態を示す図である。
【図６】  図６は、４頁を１頁に印字した状態を示す図である。
【図７】  図７は、９頁を１頁に印字した状態を示す図である。
【図８】  図８は、１６頁を１頁に印字した状態を示す図である。る。
【図９】  図９は、第１の実施の形態の印刷設定処理を示すフローチャートである。
【図１０】  図１０は、第２の実施の形態の印刷設定処理を示すフローチャートである。
【図１１】  図１１は、第３の実施の形態の印刷設定の画面を示す図である。
【図１２】  図１２は、第３の実施の形態の印刷設定の画面を示す図である。
【図１３】  図１３は、第３の実施の形態の印刷設定の画面を示す図である。
【符号の説明】
１  ファクシミリ装置
２  ＣＰＵユニット
３  ＣＰＵ
４  ゲートアレー
５  入力キーユニット
６  入力キー制御回路
７  ＲＯＭ
９  ＲＡＭ
９ａ  両面印刷設定情報記憶エリア
９ｂ  Ｎイン１印刷設定情報記憶エリア
１８  モデム
１９  ＮＣＵ
２０  通信回線
２２  読取装置
２３  画像処理ＬＳＩ
２４  印字ヘッド
２５  ヘッド駆動回路
２７  表示パネル
２９  両面印刷機構駆動モータ
３０  両面印刷機構制御回路
３４  両面印刷ボタン
３５  Ｎイン１印刷ボタン
３６  機能設定ボタン
５０  印刷設定画面
５１  両面印刷のチェック欄
５２  Ｎイン１印刷のチェック欄
５３  Ｎ値指定部
【図１】
0003671811.tif 000002
【図２】
0003671811.tif 000003
【図３】
0003671811.tif 000004
【図４】
0003671811.tif 000005
【図５】
0003671811.tif 000006
【図６】
0003671811.tif 000007
【図７】
0003671811.tif 000008
【図８】
0003671811.tif 000009
【図９】
0003671811.tif 000010
【図１０】
0003671811.tif 000011
【図１１】
0003671811.tif 000012
【図１２】
0003671811.tif 000013
【図１３】
0003671811.tif 000014